【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
複数の光電変換部を有する撮像装置の駆動方法であって、
前記光電変換部において第１の時刻から第２の時刻までの期間に生じた電荷を、複数の電荷受領部に並行して転送する電荷転送ステップを含み、
前記複数の光電変換部のそれぞれについて前記電荷転送ステップを行うことで、前記複数の電荷受領部の少なくとも１つにおいて前記電荷転送ステップによって互いに別の光電変換部から転送されてきた電荷を加算することを特徴とする撮像装置の駆動方法。
【請求項２】
前記複数の電荷受領部のそれぞれにおいて、前記電荷転送ステップによって互いに別の光電変換部から転送されてきた電荷を加算することによって、移動平均処理を行うことを特徴とする請求項１に記載の撮像装置の駆動方法。
【請求項３】
前記複数の電荷受領部のそれぞれにおいて、前記電荷転送ステップによって互いに別の光電変換部から転送されてきた電荷を加算し、
前記複数の電荷受領部のそれぞれにおいて加算された電荷に基づく複数の信号を出力するステップを含み、
前記複数の光電変換部の第１方向に沿ったピッチと、前記複数の信号の信号重心の前記第１方向に沿ったピッチとが等しいことを特徴とする請求項１に記載の撮像装置の駆動方法。
【請求項４】
前記複数の信号の前記信号重心の位置は、前記複数の光電変換部の重心の中点であることを特徴とする請求項３に記載の撮像装置の駆動方法。
【請求項５】
前記複数の電荷受領部のそれぞれにおいて、前記電荷転送ステップによって互いに別の光電変換部から転送されてきた電荷が加算され、
前記複数の電荷受領部のそれぞれにおいて加算された電荷に基づく複数の信号を出力するステップを含み、
前記複数の光電変換部の第１方向に沿ったピッチと、前記複数の信号の前記第１方向に沿ったサンプリングピッチとが等しいことを特徴とする請求項１に記載の撮像装置の駆動方法。
【請求項６】
前記複数の信号、あるいは前記移動平均処理によって得られた複数の信号を用いて補完処理を行うことを特徴とする請求項２乃至請求項５のいずれか一項に記載の撮像装置の駆動方法。
【請求項７】
前記複数の電荷受領部は、少なくとも第１の電荷受領部と第２の電荷受領部とを含み、
前記第１の電荷受領部および前記第２の電荷受領部のそれぞれにおいて、前記電荷を転送するステップで互いに別の光電変換部から転送されてきた電荷が加算され、
前記第１の電荷受領部において加算された電荷に基づく信号と、前記第２の電荷受領部において加算された電荷に基づく信号とを用いて位相差検出を行うことを特徴とする請求項１に記載の撮像装置の駆動方法。
【請求項８】
前記複数の光電変換部のうちの第１の光電変換部の電荷が、前記第１の電荷受領部および前記第２の電荷受領部へ並行して転送され、前記複数の光電変換部のうちの第２の光電変換部の電荷が、前記第１の電荷受領部および前記第２の電荷受領部へ並行して転送されることを特徴とすることを特徴とする請求項７に記載の撮像装置の駆動方法。
【請求項９】
前記撮像装置は、前記光電変換部の１つに接続され、前記光電変換部の１つと前記複数の電荷受領部のそれぞれとの間の電気経路に配された複数の転送トランジスタを有し、
前記複数の転送トランジスタのそれぞれが、前記光電変換部の１つから前記複数の電荷受領部のうち対応する電荷受領部へ電荷を転送し、
前記複数の転送トランジスタを並行してオンすることで、前記電荷転送ステップを行うことを特徴とする請求項１乃至請求項８のいずれか一項に記載の撮像装置の駆動方法。
【請求項１０】
前記第２の時刻が、前記複数の転送トランジスタがオンする時刻であることを特徴とする請求項９に記載の撮像装置の駆動方法。
【請求項１１】
前記複数の電荷受領部のそれぞれが少なくとも１つのフローティングディフュージョン領域を含んで構成されることを特徴とする請求項１乃至請求項１０のいずれか一項に記載の撮像装置の駆動方法。
【請求項１２】
前記複数の光電変換部に対して複数の色のカラーフィルタが配され、
前記複数の電荷受領部のそれぞれが複数の前記フローティングディフュージョン領域を含んで構成され、
前記複数の光電変換部のうち同じ色のカラーフィルタが配された複数の光電変換部からの電荷を加算することを特徴とする請求項１１に記載の撮像装置の駆動方法。
【請求項１３】
前記複数の光電変換部のうち少なくとも１つの光電変換部について、前記複数の電荷受領部の前記少なくとも１つとは別の１つが電荷の排出ノードであることを特徴とする請求項１乃至請求項１２のいずれか一項に記載の撮像装置の駆動方法。
【請求項１４】
前記複数の光電変換部のうち、撮像領域の外周に配された光電変換部の電荷が、前記排出ノードに排出されることを特徴とする請求項１３に記載の撮像装置の駆動方法。
【請求項１５】
前記電荷転送ステップを含む第１のモードと、
前記複数の光電変換部のそれぞれから１つの電荷受領部にのみ電荷を転送するステップを含む第２のモードと、を切り替えることを特徴とする請求項１乃至請求項１４のいずれか一項に記載の撮像装置の駆動方法。
【請求項１６】
露光を行うステップを含み、
前記第１の時刻が前記複数の光電変換部のそれぞれにおける１回の露光期間の開始の時刻であり、前記第２の時刻が前記複数の光電変換部のそれぞれにおける前記１回の露光期間の終了の時刻であることを特徴とする請求項１乃至請求項１５のいずれか一項に記載の撮像装置の駆動方法。
【請求項１７】
前記露光はグローバルシャッタによる露光であることを特徴とする請求項１６に記載の撮像装置の駆動方法。
【請求項１８】
前記露光はローリングシャッタによる露光であることを特徴とする請求項１６に記載の撮像装置の駆動方法。
【請求項１９】
前記撮像装置は、
前記複数の電荷受領部のそれぞれにおいて加算された電荷に基づく複数の信号を出力する複数の増幅トランジスタと、
前記複数の増幅トランジスタからの複数の信号が出力される出力線と、
前記複数の増幅トランジスタのそれぞれと、前記出力線との間の電気経路に配された複数の保持容量と、
を有し、
前記駆動方法が、前記複数の保持容量に保持された複数の信号を前記出力線に順次出力するステップを含むことを特徴とする請求項１乃至請求項１８のいずれか一項に記載の撮像装置の駆動方法。
【請求項２０】
複数の光電変換部を有する撮像装置の駆動方法であって、
前記光電変換部において第１の時刻から第２の時刻までの期間に生じた電荷を、複数のフローティングディフュージョン領域に並行して転送する電荷転送ステップを含み、
前記複数の光電変換部のそれぞれについて前記電荷転送ステップを行うことで、前記複数のフローティングディフュージョン領域の少なくとも１つにおいて前記電荷転送ステップによって互いに別の光電変換部から転送されてきた電荷を加算することを特徴とする撮像装置の駆動方法。
【請求項２１】
複数の光電変換部を有する撮像装置と、前記撮像装置から出力される信号を処理する信号処理装置とを備えた撮像システムの駆動方法であって、
前記光電変換部において第１の時刻から第２の時刻までの期間に生じた電荷を、複数の電荷受領部に並行して転送する電荷転送ステップ、を含み、
前記複数の光電変換部のそれぞれについて前記電荷転送ステップを行うことで、前記複数の電荷受領部の少なくとも１つにおいて前記電荷転送ステップによって互いに別の光電変換部から転送されてきた電荷を加算することを特徴とする撮像システムの駆動方法。
【請求項２２】
複数の光電変換部と、
前記複数の光電変換部のそれぞれに対応して配された転送部と、
前記転送部を制御する制御部と、を含む撮像装置であって、
前記転送部は、前記光電変換部において第１の時刻から第２の時刻までの期間に生じた電荷を、複数の電荷受領部に分配し、
前記複数の電荷受領部の少なくとも１つにおいて、互いに別の光電変換部から分配されてきた電荷が加算されるように、前記制御部が前記複数の光電変換部のそれぞれに対応して配された前記転送部を制御することを特徴とする撮像装置。